(57)【要約】【課題】利用者が選択したコースの予測消費電力量を表示し、省エネ意識と節電の利便性を向上する。【解決手段】動作コースを選択する運転操作部２と、運転操作部２で選択されたコースの消費電力を予測する電力予測手段６と、電力予測手段６で予測した値を表示する表示部５と、運転操作部２で選択されたコースの動作を制御する制御部１とを備え、制御部１は、運転操作部２で利用者が選択したコースの予測消費電力量を動作開始前に表示部５に表示するようにしたものである。【選択図】図１
2011245089.tif 000002
【特許請求の範囲】
【請求項１】
動作コースを選択する運転操作部と、前記運転操作部で選択されたコースの消費電力を予測する電力予測手段と、前記電力予測手段で予測した値を表示する表示部と、前記運転操作部で選択されたコースの動作を制御する制御部とを備え、前記制御部は、前記運転操作部で利用者が選択したコースの予測消費電力量を動作開始前に前記表示部に表示するようにした衣類処理装置。
【請求項２】
衣類の量を検知する布量検知手段を備え、制御部は、電力予測手段により前記布量検知手段で検知した布量から消費電力量を算出して前記表示部に表示するようにした請求項１記載の衣類処理装置。
【請求項３】
電力予測手段の予測電力値を表示部に表示後、利用者がコース変更した際に電力量予測を再演算の指令をおこなう再演算指令部を備え、利用者が設定したコースの予測消費電力量を動作開始前に表示部に表示した後、利用者が設定を変更した際に予測電力量を再計算し、前記表示部に再表示するようにした請求項１または２記載の衣類処理装置。
【請求項４】
布量検知手段により検知した布量から水量を決定する水量決定手段と、洗濯モータまたは乾燥モータおよび加熱部の各工程における負荷−消費電力特性を保持する電力特性保持部を備え、電力予測手段が、前記布量検知手段の布量と水量決定手段の水量および電力特性保持部の電力特性と各工程の動作時間から選択コースでの消費電力量を算出し、予測消費電力量値を動作開始前に表示部に表示するようにした請求項１〜３のいずれか１項に記載の衣類処理装置。
【請求項５】
電力予測手段の電力量値を金額換算する換算部を備え、利用者が選択したコースの予測金額を動作開始前に表示部に表示するようにした請求項１〜４のいずれか１項に記載の衣類処理装置。
【請求項６】
衣類処理の動作毎に消費電力量を計測する電力計測手段と、前記電力計測手段からの電力量値と布量検知手段の衣類量とを記録し、消費電力を予測する電力予測手段の予測値を補正する補正手段を備え、前記補正手段により利用者の選択したコースの予測消費電力量を補正して動作開始前に表示部に表示するようにした請求項１〜５のいずれか１項に記載の衣類処理装置。
【発明の詳細な説明】
【技術分野】
【０００１】
本発明は、衣類等の洗濯、乾燥等の処理をおこなう衣類処理装置に関するものである。
【背景技術】
【０００２】
従来、この種の衣類処理装置は、衣類処理装置の主幹部の電力測定をおこない、選択コースで動作終了時に実際に消費した消費電力量を金額換算した値を表示するもので、利用者が使用後に掛った金額を把握することで省エネ意識の向上を啓蒙することが考えられている。
【０００３】
図４は、従来の洗濯乾燥機の構成を示したものである。洗濯乾燥機の制御装置５１は、給水弁５２が開弁状態にある時間と、給水弁５２の単位時間あたりの給水量との積の総和を給水量として算出する。また、制御装置５１は、洗濯物の重量測定結果に応じたモータ５３の平均消費電力と作動時間との積の総和を、モータによる消費電力量とする。また、制御装置５１は、圧縮機５４の作動周波数に応じた平均消費電力と作動時間との積の総和を、圧縮機５４による消費電力量とする。制御装置５１は、算出した給水量と水道基本料金との積を洗濯乾燥行程の水道代によるコストとし、算出したモータ５３による消費電力量と圧縮機５４による消費電力量との和に、電気基本料金を積算したものを洗濯乾燥行程の電気代によるコストとし、これらのコストおよびその合計を、洗濯乾燥行程の終了時に表示部５５に表示するようにしたものである（例えば、特許文献１参照）。
【先行技術文献】
【特許文献】
【０００４】
【特許文献１】特開２００９−２８０６９号公報
【発明の概要】
【発明が解決しようとする課題】
【０００５】
しかしながら、前記従来の構成では、洗濯乾燥機の全工程が終了した際に初めて消費電力量が把握できるのであって、利用者が事前に消費電力がどの程度かを把握し、消費電力を工程の開始前に抑制したいと考えても積極的な省エネができないという課題があった。
【０００６】
本発明は、前記従来の課題を解決するもので、利用者が選択したコースの予測消費電力量を動作の開始前に表示し、省エネ意識と節電の利便性を向上する衣類処理装置を提供することを目的とする。
【課題を解決するための手段】
【０００７】
前記従来の課題を解決するために、本発明の衣類処理装置は、動作コースを選択する運転操作部と、前記運転操作部で選択されたコースの消費電力を予測する電力予測手段と、前記電力予測手段で予測した値を表示する表示部と、前記運転操作部で選択されたコースの動作を制御する制御部とを備え、前記制御部は、前記運転操作部で利用者が選択したコースの予測消費電力量を動作開始前に前記表示部に表示するようにしたものである。
【０００８】
これによって、衣類処理装置の使用者が使用前に選択したコースの消費電力量を確認できることから省エネ意識を高め、消費電力を抑制するコースや時間短縮などを自由に選択することができ、省エネや電気代節約への使い勝手の良い衣類処理装置を提供することができる。
【発明の効果】
【０００９】
本発明の衣類処理装置は、使用者が選択したコースの予測消費電力量を動作開始前に確認することができ、消費電力量の小さいコースへの変更等、省エネ意識と節電の利便性を向上することができる。
【図面の簡単な説明】
【００１０】
【図１】本発明の実施の形態１における衣類処理装置のブロック構成図
【図２】同衣類処理装置の洗濯モータの低速時の消費電力特性図
【図３】同衣類処理装置の洗濯モータの高速時の消費電力特性図
【図４】従来の洗濯乾燥機の構成図
【発明を実施するための形態】
【００１１】
第１の発明は、動作コースを選択する運転操作部と、前記運転操作部で選択されたコースの消費電力の予測値を表示する表示部と、前記運転操作部で選択されたコースの動作を制御する制御部とを備え、前記制御部は、前記運転操作部で利用者が選択したコースの予測消費電力量を動作開始前に前記表示部に表示するようにしたことにより、利用者が選択したコースの予測消費電力量を動作開始前に確認することができ、利用者が消費電力量の小さいコースへの変更がおこなえるなど利便性を向上することができる。また、利用者が事前に運転コースの消費電力を知り得ることで消費電力の抑制行動を推進でき、利用者の選択コースやコース時間の変更で、利用者が望む消費電力以下にすることができる。
【００１２】
第２の発明は、特に、第１の発明の衣類処理装置に、衣類の量を検知する布量検知手段を備え、制御部は、電力予測手段により前記布量検知手段で検知した布量から消費電力量を算出して前記表示部に表示するようにしたことにより、衣類の量に基いて消費電力量を精度よく予測することができるとともに、利用者が選択したコースの予測消費電力量を動作開始前に表示部に表示することができ、利用者が事前に洗濯の開始前に消費電力量を知り得ることで、自ら望む消費電力以下にするためにコース変更や時間変更などを自由に選択できる利便性を高め、利用者の省エネ意識の向上とともに省エネ活動に利用できる。
【００１３】
第３の発明は、特に、第１または第２の発明の衣類処理装置に、電力予測手段の予測電力値を表示部に表示後、利用者がコース変更した際に電力量予測を再演算の指令をおこなう再演算指令部を備え、利用者が設定したコースの予測消費電力量を動作開始前に表示部に表示した後、利用者が設定を変更した際に予測電力量を再計算し、前記表示部に再表示するようにしたことにより、変更された予測電力量を表示部に再表示することができ、利便性を向上することができる。
【００１４】
第４の発明は、特に、第１〜第３のいずれか１つの発明の衣類処理装置に、布量検知手段により検知した布量から水量を決定する水量決定手段と、洗濯モータまたは乾燥モータおよび加熱部の各工程における負荷−消費電力特性を保持する電力特性保持部を備え、電力予測手段が、前記布量検知手段の布量と水量決定手段の水量および電力特性保持部の電力特性と各工程の動作時間から選択コースでの消費電力量を算出し、予測消費電力量値を動作開始前に表示部に表示するようにしたことにより、各部の電力特性と水量から利用者の選択コース変更後の消費電力をより容易に即座に再計算することができ、利便性、精度および応答性を向上することができる。
【００１５】
第５の発明は、特に、第１〜第４のいずれか１つの発明の衣類処理装置に、電力予測手段の電力量値を金額換算する換算部を備え、利用者が選択したコースの予測金額を動作開始前に表示部に表示するようにしたことにより、利用者が動作開始前に予測金額を知ることでより明確に消費電力の度合いを意識することができる。さらに、金額表示とすることで利用者の節約行動を促進し、節約、省エネ意識を向上することができる。
【００１６】
第６の発明は、特に、第１〜第５のいずれか１つの発明の衣類処理装置に、衣類処理の動作毎に消費電力量を計測する電力計測手段と、前記電力計測手段からの電力量値と布量検知手段の衣類量とを記録し、消費電力を予測する電力予測手段の予測値を補正する補正手段を備え、前記補正手段により利用者の選択したコースの予測消費電力量を補正して動作開始前に表示部に表示するようにしたことにより、利用者の日々の衣類処理装置動作の消費電力パターンを学習することで、予測電力手段の電力算出値を補正することができ、精度の高い予測消費電力量を動作開始前に表示でき、利用者の利便性を向上することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における衣類処理装置のブロック構成図を示したものである。図１において、衣類処理装置１００は、衣類等の洗濯物の洗濯、すすぎ、脱水等をおこなう洗濯機能、または、衣類等を乾燥させる衣類乾燥機能、または、これらの両方の洗濯乾燥機能を有するものであり、上記機能が持つ動作コースから使用するコースを選択し運転操作をおこなう運転操作部２と、その操作により各部の動作を制御する制御部１を有している。
【００１９】
衣類処理装置１００は、洗濯、脱水および乾燥時に動作し、衣類等の洗濯、脱水および乾燥をおこなうドラム等の洗濯槽兼脱水槽兼乾燥槽（図示せず）を回転駆動する洗濯モータ１０１と、乾燥時に動作し、洗濯槽兼脱水槽兼乾燥槽内に乾燥用空気を送風する送風ファン（図示せず）を駆動する乾燥モータ１０２と、乾燥時に送風ファンにより送風する乾燥用空気を加熱する加熱部１０３と、洗濯モータ１０１、乾燥モータ１０２および加熱部１０３等の制御にかかる電力を測定する電力計測手段９と、動作開始時に衣類の量を検知する布量検知手段３と、表示部５と、電力値を金額換算する換算部８を有している。
【００２０】
さらに、衣類処理装置１００は、運転操作部２で利用者が選択したコースの予測電力値を算出する電力予測手段６と、その予測電力値を算出するためのデータを保持する電力特性保持部７と、布量検知手段３で検知した布量に応じた水量を決める水量決定手段４と、運転操作部２で利用者がコース等の変更をした場合に、予測電力を再計算するための指令をおこなう再演算指令部１０を有している。さらに、電力計測手段９で計測する電力値から電力特性保持部７の電力特性値を補正する補正手段１１を有している。
【００２１】
また、電力特性保持部７は、電力消費をおこなう各部の特性を保持しており、洗濯モータ１０１の特性を保持する洗濯モータ部電力特性７１と、乾燥モータ１０２の特性を保持する乾燥モータ部電力特性７２と、加熱部１０３の特性を保持する加熱部電力特性７３と、制御部１等の電力特性を保持する制御部電力特性７４を保持している。
【００２２】
図２は、本発明の第１の実施の形態における洗濯モータ部電力特性７１の洗濯モードおよび乾燥モードの低速回転動作時の洗濯モータ１０１の電力特性を示すものである。図２において、洗濯モータ１０１の低速回転時における横軸がトルク（Ｎｍ）、縦軸を電力（Ｗ）とし、洗濯モータ１０１の入力電力特性２０１、出力電力特性２０２、損失特性２０３としたグラフを示している。
【００２３】
図３は、本発明の第１の実施の形態における洗濯モータ部電力特性７１の脱水モードの高速回転動作時の洗濯モータ１０１の電力特性を示すものである。図３において、洗濯モータ１０１の脱水時の高速回転時における横軸がトルク（Ｎｍ）、縦軸を電力（Ｗ）とし、洗濯モータ１０１の入力電力特性２０４、出力電力特性２０５、損失特性２０６とした
グラフを示している。
【００２４】
以上のように構成された本発明の衣類処理装置について、以下にその動作、作用を説明する。まず、利用者が衣類処理装置１００に衣類を投入し、運転操作部２の操作で電源をＯＮした後、利用したい動作コースを選択し動作開始指令を操作する。その際、布量検知手段３により投入された衣類量を検知し、その衣類量に応じた水量を水量決定手段４で決定する。
【００２５】
その結果、電力特性保持部７に保持している各部の電力特性から、布量と、水量と、選択されたコースでの運転時間から消費電力を電力予測手段６で算出し、その算出結果を消費電力予測値として表示部５に表示する。また、制御部１は、これらの運転動作、運転操作、電力演算、計測、表示のすべての制御をおこなう。
【００２６】
例えば、電力予測手段６で洗濯モータ１０１の予測電力を算出する場合に、運転操作部２で洗濯の標準コース（例えば、洗濯モード１５分＋脱水モード１５分とした場合）を利用者が選択したとして、布量４．５ｋｇの場合に洗濯時の洗濯モータ１０１の必要トルクを実験値から１０Ｎｍとして電力特性保持部７に保持されており、その時の低速回転での消費電力は、図２に示すとおり、７５Ｗとなる。
【００２７】
また、脱水時の洗濯モータ１０１の必要トルクも実験値から２．５Ｎｍとして電力特性保持部７に保持されており、その時の高速回転での消費電力は、図３に示すとおり６５０Ｗとなる。したがって、この時の洗濯モータ１０１の消費電力量は、
７５×１５／６０＋６５０×１５／６０＝１８１．２５Ｗｈとなる。
【００２８】
ここでは、洗濯時の必要トルクを１０Ｎｍ、脱水時の必要トルクを２．５Ｎｍとしているが、衣類を入れる洗濯槽の内径サイズや洗濯槽の傾き（ドラム式洗濯機の場合）、水量などにより、それぞれ必要トルクが変化するため、搭載する洗濯槽の内径や傾きと衣類量およびその時の水量による条件で求めた必要トルクの実験値を、あらかじめ電力特性保持部７に衣類処理装置１００の機種毎に保持することで、予測電力の算出をおこなうことができる。
【００２９】
加熱部電力特性７３は、乾燥時にのみ使用するためゼロＷｈであり、制御部電力特性７４は、ほぼ一定の値を動作時に消費するため特性であるため、例えば、３０Ｗとして、洗濯と脱水時に１５分＋１５分の場合、１５Ｗｈとなる。
【００３０】
上記の結果、洗濯の標準コースでは、１８１．２５＋１５＝１９６．２５Ｗｈとして、電力予測手段６で算出され、その値を予測消費電力量として表示部５に表示をおこなう。表示をおこなう場合は、利用者が運転操作部２で金額換算を選択した場合に、換算部８が、１ｋＷｈあたり例えば２５円としておおよその目安となる金額を算出し、その結果を表示部５に表示する。この場合では、約４．９円と表示する。
【００３１】
なお、ここでは１回の洗濯時の消費電力または目安金額を消費電力予測値として表示するようにしているが、１ヶ月間の積算値や、前月比、前年比などの比較がおこなえる表示としてもよい。
【００３２】
また、乾燥モードがある場合にも乾燥モータ部電力特性７２の特性としては、負荷がファンモータであり、回転数毎にほぼ一定の値を示す特性であるため、実験値から制御部１が乾燥モードで決めている動作シーケンスの回転数および時間によって容易に算出することができる。さらに、加熱部電力特性７３もヒータ式であれば抵抗負荷であるため、動作時間に応じて消費電力の特性は容易に把握できる。ヒートポンプ式の場合でも、回転数と
動作時間に応じて消費電力の特性は容易に実験値から得られるため、算出することができる。
【００３３】
したがって、洗濯モータ１０１の消費電力量の算出例をここでは示しているが、実験値から同様に乾燥モータ１０２、加熱部１０３、制御部１の各々の電力特性を算出することができるため、電力予測手段６での予測電力算出は容易にかつ迅速に演算ができる。
【００３４】
また、利用者が、動作開始前に表示部５に消費電力量または金額が表示された場合に、コースの変更や時間変更を運転操作部２で操作をおこなった場合、制御部１は、再演算指令部１０に変更後の予測電力を算出するように電力予測手段６に指令をおこない、電力予測手段６は、再度変更後のコースまたは時間による消費電力を算出し、その結果を表示部５に表示し、金額換算の場合は、換算部８で換算して表示をおこなう。
【００３５】
このように、演算結果を表示部５に運転開始前に表示することで、利用者が衣類処理装置１００を使用する際、事前に今回の衣類量でどの程度の消費電力量または金額となるかを把握することができ、省エネ意識を高めることができ、衣類処理装置１００の動作コースの変更を検討するなど、省エネ行動をおこなうことができるという利便性が向上する。
【００３６】
また、電力計測手段９で洗濯モータ１０１、乾燥モータ１０２、加熱部１０３の入力電力を計測することで、利用者が使用する日々の衣類量と消費電力の実測値を補正手段１１で保持し、その実測値から次回の布量検知手段３の検知時の衣類量での電力予測手段６の予測電力値を補正手段１１が補正するようにしている。
【００３７】
このように日々、利用者が衣類処理装置１００を使用する際の電力値を計測することで、利用者の使用している衣類処理装置１００の個体差等のばらつき等があった場合でも、日々の実測電力値から補正することにより、精度の高い予測電力値を電力予測手段６で算出することができる。
【００３８】
なお、ここでは利用者が選択したコースの予測消費電力量を動作開始前に表示部に表示するとしているが、動作開始前とは、利用者が衣類を投入後に開始指令により衣類処理装置１００の布量検知後から洗剤量表示前であってもその表示直後であってもよく、洗濯工程に入る直前までのことを示しており、給水開始前までに表示し、コース変更等がおこなえるタイミングである。また、給水後にコース変更をした場合は、給水前の布量検知での布量を前提に予測電力値を算出し、表示することであっても同様の作用、効果を得ることができる。
【００３９】
なお、ここでは消費電力量の予測値を各部の電力特性と衣類量から推測して、使用前に予測電力量の値を表示することで説明をおこなっているが、衣類量から洗濯やすすぎに使用する水量もあらかじめ目安水量を決めていることから、予測使用水量を表示したり、水道料金を表示することも同様であり、水道使用量と消費電力量を同時に表示したり、水道料金と電気料金を合わせた光熱費として、予測光熱費を表示することも同様におこなうことができる。
【産業上の利用可能性】
【００４０】
以上のように、本発明にかかる衣類処理装置は、使用者が選択したコースの予測消費電力量を動作開始前に確認することができ、消費電力量の小さいコースへの変更等、省エネ意識と節電の利便性を向上することができるので、洗濯機、衣類乾燥機、洗濯乾燥機等の衣類処理装置として有用である。
【符号の説明】
【００４１】
１  制御部
２  運転操作部
３  布量検知手段
４  水量決定手段
５  表示部
６  電力予測手段
７  電力特性保持部
８  換算部
９  電力計測手段
１０  再演算指令部
１１  補正手段
【図１】
2011245089.tif 000003
【図２】
2011245089.tif 000004
【図３】
2011245089.tif 000005
【図４】
2011245089.tif 000006